(57)【要約】【課題】隣りあって配設された車両用シートのシールド部材が張り出すことによる収納スペースの大きさの制限が緩和された物品の収納装置を提供する。【解決手段】センターコンソールボックス１０（物品の収納装置）は、内側に物品を収納することを可能とする収納ボックス１１（収納部）と、収納ボックス１１を外側からくるむように配設されて意匠性の向上を実現させる化粧カバー部１２とを備える。化粧カバー部１２は、車両用シート９０のシールド部材９０Ａ（張り出し部材）の張り出しに対向される部分に開口１２Ａを備えて、この開口１２Ａにシールド部材９０Ａの張り出しの一部を入りこませた状態に配設される。【選択図】図３
2015016823.tif 000002
【特許請求の範囲】
【請求項１】
シート本体から当該シート本体の右側あるいは左側の少なくとも一方に向かって張り出し部材を張り出させた車両用シートに対して、前記張り出し部材が張り出される側に隣りあって配設される物品の収納装置において、
内側に物品を収納することを可能とする収納部と、当該収納部を外側からくるむように配設されて意匠性の向上を実現させる化粧カバー部とを備え、
前記化粧カバー部は、前記張り出し部材の張り出しに対向される部分に開口を備えて、当該開口に前記張り出し部材の前記張り出しの一部を入りこませた状態に配設されている、
物品の収納装置。
【請求項２】
請求項１に記載の物品の収納装置において、
前記収納部において外側となる面のうち、少なくとも前記化粧カバー部の前記開口から外部に露見される部分には、外側に突出された補強リブが当該補強リブによって意匠を形成するように配設されている、
物品の収納装置。
【発明の詳細な説明】
【技術分野】
【０００１】
本発明は、車両用シートに対してこの車両用シートの右側あるいは左側に隣りあって配設される物品の収納装置に関する。
【背景技術】
【０００２】
従来、自動車においては、運転席となる車両用シートと助手席となる車両用シートとの間に上記各車両用シートに隣り合うようにセンターコンソールボックスを配設して、このセンターコンソールボックスに種々の物品を収納可能とする技術が公知であった。また、センターコンソールボックスなどの物品の収納装置においては、内側に物品が収納される収納部を化粧カバー部により外側から覆うことで意匠性の向上を実現させる技術が公知であった（例えば特許文献１を参照）。
【先行技術文献】
【特許文献】
【０００３】
【特許文献１】特開２０１２−１４８６８４号公報
【発明の概要】
【発明が解決しようとする課題】
【０００４】
ところで、車両用シートにおいては、この車両用シートの意匠性を向上させるための部材であるシールド部材が、車室の中央側に向けて張り出されて設けられることがある。ここで、上記特許文献１に記載された従来の技術においては、車両用シートにシールド部材を設ける場合、このシールド部材と上記物品の収納装置における化粧カバー部とが互いに干渉しないようにするために、上記物品の収納装置全体の大きさを小さく制限する必要がある。すなわち、上記従来の技術においては、車両用シートに設けられたシールド部材の張り出しのために上記物品の収納装置における収納スペースの大きさが制限されるという問題が発生していた。
本発明は、車両用シートにおいてシールド部材などの張り出し部材が張り出される側に隣りあって配設される物品の収納装置において、その収納部を覆う化粧カバー部が配設される領域をこの化粧カバー部の必要性が大きい領域に限定することで、上記張り出し部材と上記化粧カバー部との干渉を回避するために上記物品の収納装置全体の大きさを小さく制限する必要をなくして、この物品の収納装置における収納スペースの大きさの制限を緩和することを可能とするものである。
【課題を解決するための手段】
【０００５】
上記課題を解決するために、本発明の物品の収納装置は以下の手段をとる。
まず、第１の発明は、シート本体からこのシート本体の右側あるいは左側の少なくとも一方に向かって張り出し部材を張り出させた車両用シートに対して、張り出し部材が張り出される側に隣りあって配設される物品の収納装置である。この物品の収納装置は、内側に物品を収納することを可能とする収納部と、この収納部を外側からくるむように配設されて意匠性の向上を実現させる化粧カバー部とを備えている。上記化粧カバー部は、張り出し部材の張り出しに対向される部分に開口を備えて、この開口に張り出し部材の張り出しの一部を入りこませた状態に配設されている。
この第１の発明によれば、化粧カバー部の開口に張り出し部材の張り出しの一部が入りこむことで、この張り出し部材と化粧カバー部との干渉が回避される。これにより、上記干渉の回避のために物品の収納装置全体の大きさを小さく制限する必要をなくして、この物品の収納装置における収納スペースの大きさの制限を緩和することができる。また、化粧カバー部の開口を張り出し部材の張り出しに対向させる構成によれば、化粧カバー部が配設される領域を物品の収納装置において外部から視認されやすく化粧カバー部の必要性が大きい領域に限定することで、張り出し部材と化粧カバー部との干渉を回避することが可能となる。これにより、物品の収納装置において化粧カバー部の必要性が大きい領域において、化粧カバー部が意匠性を向上させる機能を保つことができる。
【０００６】
ついで、第２の発明は、上述した第１の発明において、上記収納部において外側となる面のうち、少なくとも上記化粧カバー部の開口から外部に露見される部分には、外側に突出された補強リブがこの補強リブによって意匠を形成するように配設されているものである。
上記物品の収納装置において、収納部を外側から覆うことで意匠性の向上を実現させる化粧カバー部に開口を設けた場合、この開口から外部に露見される収納部が視認されると、上記物品の収納装置における意匠性が低下される。ここで、上記第２の発明によれば、収納部において化粧カバー部の開口から外部に露見される部分に意匠を形成することで、上記収納部が視認されることによる意匠性の低下を低減させることができる。また、上記意匠を収納部の補強リブによって形成する構成によれば、上記意匠性の低下の低減と収納部の補強とをあわせて行うことができる。
【図面の簡単な説明】
【０００７】
【図１】本発明の一実施形態が適用されたセンターコンソールボックスを表した斜視図である。
【図２】図１のセンターコンソールボックスを表した側面図である。
【図３】図２のＩＩＩ−ＩＩＩ線断面図である。
【図４】図２のセンターコンソールボックスにおける補強リブの変形例を表した拡大図である。
【発明を実施するための形態】
【０００８】
以下に、本発明の一実施形態が適用された物品の収納装置であるセンターコンソールボックス１０について、図１ないし図３を用いて説明する。なお、以下において、車両用シートに取り付けられるシートベルトなどの付随的かつ従来から用いられている構成については、その図示および詳細な説明を省略する。
センターコンソールボックス１０は、図１に示すように、自動車（図示省略）の車室内において横並びに並べられた２つの車両用シート９０の間に、各車両用シート９０に隣り合うように配設されるセンターコンソールボックスである。このセンターコンソールボックス１０は、図３に示すように、プラスチックにより形成された複数の部材を締結によって互いに結合させることで形成されている。
【０００９】
各車両用シート９０は、図１および図３に示すように、この各車両用シート９０のシート本体９０Ａから、各車両用シート９０の意匠性を向上させるための部材であるシールド部材９０Ｂを、センターコンソールボックス１０のある側（図３では中央側）に向けて張り出した構成となっている。ここで、シールド部材９０Ｂは、本発明における「張り出し部材」に相当する。
センターコンソールボックス１０は、図１ないし図３に示すように、蓋部１０Ａにより開閉される収納ボックス１１を備えて、この収納ボックス１１の内部に種々の物品（図示省略）を収納可能とするように構成されている。ここで、収納ボックス１１は、本発明における「収納部」に相当する。
【００１０】
また、センターコンソールボックス１０は、意匠性に優れるように形成された化粧カバー部１２を備えている。この化粧カバー部１２は、センターコンソールボックス１０において収納ボックス１１を外側からくるむように配設されることで、センターコンソールボックス１０における意匠性を向上させるようになっている。
ここで、化粧カバー部１２は、図３に示すように、上述したシールド部材９０Ｂの張り出しに対向される部分に開口１２Ａを備えて、この開口１２Ａに上記シールド部材９０Ｂの張り出しの一部を入りこませた状態に配設されている。この構成によれば、シールド部材９０Ｂと化粧カバー部１２との干渉を回避して、この干渉のためにセンターコンソールボックス１０全体の大きさを小さく制限する必要をなくすことができる。そして、センターコンソールボックス１０における収納スペースの大きさの制限を緩和することができる。
【００１１】
また、化粧カバー部１２は、その開口１２Ａのために、シールド部材９０Ｂの張り出しに対向されて外部から視認されにくくなっている部分において省略された状態となっている。この構成によれば、化粧カバー部１２を外部から視認されやすく化粧カバー部１２の必要性が大きい領域に限定して配設することで、化粧カバー部１２とシールド部材９０Ｂとの干渉が回避される。これにより、センターコンソールボックス１０において化粧カバー部１２の必要性が大きい領域において、化粧カバー部１２が意匠性を向上させる機能を保つことができる。
なお、化粧カバー部１２の開口１２Ａは、図２に示すように、車両用シート９０のシートポジションの調整によりシールド部材９０Ｂが移動されうる範囲の全体に対応されて形成されている。この構成によれば、車両用シート９０のシートポジションによらず、この車両用シート９０のシールド部材９０Ｂとセンターコンソールボックス１０の化粧カバー部１２とが互いに干渉されることを回避することができる。なお、本実施形態においては、開口１２Ａの形状は、センターコンソールボックス１０の意匠性を向上させる意匠としても機能することができる形状となっている。
【００１２】
ところで、収納ボックス１１には、図３に示すように、その外側（図３では左右両側）となる面に補強リブ１１Ａが突出されている。この補強リブ１１Ａは、図１および図２に示すように、互いに繋がった複数枚の板として形成されることで、収納ボックス１１をこの収納ボックス１１の断面二次モーメントがより大きくなるように補強するようになっている。
ここで、補強リブ１１Ａは、この補強リブ１１Ａによって収納ボックス１１の外側の面に意匠（例えば図２に拡大して示す蜂の巣をイメージさせる意匠）を形成するように配設されている。この意匠は、化粧カバー部１２の開口１２Ａから外部に露見されることで、収納ボックス１１の意匠性を向上させる。これにより、センターコンソールボックス１０において化粧カバー部１２の開口１２Ａから収納ボックス１１が視認されたときに、この収納ボックス１１が視認されることによるセンターコンソールボックス１０の意匠性の低下を低減させることができる。また、上記意匠を収納ボックス１１の補強リブ１１Ａによって形成する構成によれば、上記意匠性の低下の低減と収納ボックス１１の補強とをあわせて行うことができる。
【００１３】
本発明は、上述した一実施形態で説明した外観、構成に限定されず、本発明の要旨を変更しない範囲で種々の変更、追加、削除が可能である。例えば、以下のような各種の形態を実施することができる。
（１）収納ボックス１１の補強リブ１１Ａによって形成される意匠は、図２に拡大して示した蜂の巣をイメージさせる意匠に限定されない。すなわち、補強リブ１１Ａによって形成される意匠は、例えば複数の星形（図４（Ａ）参照）を並べた意匠、または、トランプのハートの形（図４（Ｂ）参照）あるいはダイヤの形（図４（Ｃ）参照）を互いに連結させた意匠など、任意の意匠とすることができ、その具体的な配設の向きは限定されない。ただし、収納ボックス１１の断面二次モーメントをより大きくするため、補強リブ１１Ａによって形成される意匠は、全体が１つに繋がった意匠であることが好ましい。
（２）収納ボックス１１における外側の面のうち、化粧カバー部１２の開口１２Ａから外部に露見されない部分から補強リブ１１Ａを省略することができる。この場合でも、上記外側の面のうち、化粧カバー部１２の開口１２Ａから外部に露見される部分において補強リブ１１Ａが意匠を形成していれば、上述した第２の発明の作用効果を得ることができる。
（３）センターコンソールボックス１０において、化粧カバー部１２の開口１２Ａは、車両用シート９０のシールド部材９０Ｂとの干渉を回避するためのものに限定されない。すなわち、化粧カバー部１２においては、例えば車両用シート９０をリクライニングさせるためのレバーあるいはシートベルトのバックルなど、車両用シート９０からセンターコンソールボックス１０のある側に向かって張り出される任意の張り出し部材との干渉を回避するために開口１２Ａを設けることができる。
（４）本発明は、収納ボックス１１の内部に物品を収納可能とするセンターコンソールボックス１０に限定されない。すなわち、本発明は、例えば内部に自動車のバッテリーを収納する収納部を化粧カバー部により外部から覆った構造としたバッテリーの収納装置など、任意の物品の収納装置に適用することができる。また、例えば本発明をバッテリーの収納装置とする場合に、収納部をプラスチック製の収納ボックスから上記バッテリーを囲む金属製の枠に変更するなど、物品の収納装置における各部の構成および素材を適宜変更することができる。
【符号の説明】
【００１４】
１０    センターコンソールボックス（物品の収納装置）
１０Ａ  蓋部
１１    収納ボックス（収納部）
１１Ａ  補強リブ
１２    化粧カバー部
１２Ａ  開口
９０    車両用シート
９０Ａ  シート本体
９０Ｂ  シールド部材（張り出し部材）
【図１】
2015016823.tif 000003
【図２】
2015016823.tif 000004
【図３】
2015016823.tif 000005
【図４】
2015016823.tif 000006